(57)【要約】  本発明は、データ（１６）を表示するためのセキュリティシート（１１）に関する。セキュリティシート（１１）は、データ（１６）を表示するためのデータシート（１５）、及び取り付けレイヤ（１７）を備える。取り付けレイヤ（１７）は、データシート（１５）をセキュリティドキュメント（１０）に取り付けるための取り付け部（２６）から伸びる複数のタブ（２５）を備える。取り付けレイヤ（１７）がデータシート（１５）に取り付けられて、且つデータシート（１５）から伸びるように、複数のタブ（２５）はデータシート（１５）に取り付けられている。【選択図】  図３
2021514873.tif 000002
【特許請求の範囲】
【請求項１】
セキュリティシートであって、
データを表示するためのデータシートと、
前記データシートをセキュリティドキュメントに取り付けるための取り付け部から伸びる複数のタブを有する取り付けレイヤとを備えており、
前記取り付けレイヤが前記データシートに取り付けられて、且つ前記データシートから伸びるように、前記複数のタブは前記データシートに取り付けられている、ことを特徴とするセキュリティシート。
【請求項２】
前記複数のタブは、前記データシートに少なくとも部分的に組み込まれることにより前記データシートに取り付けられていることを特徴とする、請求項１に記載のセキュリティシート。
【請求項３】
少なくとも１つの間隔は、前記複数のタブの少なくとも２つの隣接タブを分離しており、
前記複数のタブは、前記少なくとも１つの間隔を少なくとも部分的に埋める前記データシートの材料により、前記データシートに少なくとも部分的に組み込まれていることを特徴とする、請求項２に記載のセキュリティシート。
【請求項４】
前記セキュリティシートは、前記データシート内又は前記データシート上にデータ要素を備えており、
前記複数のタブは、前記データ要素を少なくとも部分的に重ね合わせることを特徴とする、請求項１〜３のいずれかに記載のセキュリティシート。
【請求項５】
前記データシートは、少なくとも複数のボディレイヤから形成されており、
前記複数のタブの少なくとも１つのタブは、互いに取り付けられている２つの隣接ボディレイヤの間に取り付けられていることを特徴とする、請求項１〜４のいずれかに記載のセキュリティシート。
【請求項６】
前記隣接ボディレイヤは、互いに積層又は溶接されることを特徴とする、請求項５に記載のセキュリティシート。
【請求項７】
前記データシートは、少なくとも１つのボディレイヤから形成されており、
前記複数のタブの少なくとも１つのタブは、前記少なくとも１つのボディレイヤ及び前記データシートの外表面に取り付けられて、且つ少なくとも部分的に覆うことを特徴とする、請求項１〜６のいずれかに記載のセキュリティシート。
【請求項８】
前記タブの少なくとも一部に位置して、前記データシートに取り付けられている少なくとも１つのパッチを備える、請求項７に記載のセキュリティシート。
【請求項９】
前記取り付けレイヤは、繊維及び／又は少なくとも１つのフィルムレイヤを備えることを特徴とする、請求項１〜８のいずれかに記載のセキュリティシート。
【請求項１０】
前記取り付けレイヤは繊維を備え、
前記取り付け部は、複数の横糸と交差する複数の縦糸を備え、
前記複数のタブは、前記複数の縦糸から伸びる前記複数の横糸の部分を備えることを特徴とする、請求項９に記載のセキュリティシート。
【請求項１１】
前記取り付けレイヤは、縦糸と横糸を有する繊維を備え、
前記取り付け部は、前記繊維の少なくとも２つの前記横糸の少なくとも一部を織り合わせる、及び／又は重ね合わせる前記繊維の少なくとも２つの前記縦糸を備えることを特徴とする、請求項９に記載のセキュリティシート。
【請求項１２】
前記横糸はタブ横糸を備え、
前記複数のタブは、前記タブ横糸の少なくとも一部を備えることを特徴とする、請求項１１に記載のセキュリティシート。
【請求項１３】
前記取り付け部は、前記横糸と交差する前記縦糸を備え、
前記複数のタブは、前記縦糸から伸びる前記横糸の部分を備えることを特徴とする、請求項１１又は１２に記載のセキュリティシート。
【請求項１４】
前記取り付けレイヤは、前記データシート内の前記複数のタブの少なくとも２つの隣接タブの間において伸びる少なくとも１つのクロスサポートを備え、
前記少なくとも１つのクロスサポートは、前記繊維の前記縦糸の少なくとも１つの縦糸を備えることを特徴とする、請求項１２又は１３に記載のセキュリティシート。
【請求項１５】
前記少なくとも１つのクロスサポートは、合計及び／又は単位面積当たりの数が前記取り付け部より少ない縦糸を備えることを特徴とする、請求項１４に記載のセキュリティシート。
【請求項１６】
前記複数のタブの前記少なくとも２つの隣接タブは、少なくとも１つの間隔により分離されて、
前記少なくとも１つの間隔は、前記取り付け部の前記縦糸の間の距離よりも大きな距離により、前記少なくとも１つのクロスサポートと前記取り付け部、及び／又は前記少なくとも１つのクロスサポートの隣接クロスサポートを分離することを特徴とする、請求項１４又は１５に記載のセキュリティシート。
【請求項１７】
前記複数のタブは、前記取り付け部の前記横糸より少ないタブ横糸を備えることを特徴とする、請求項１２〜１６のいずれかに記載のセキュリティシート。
【請求項１８】
少なくとも１つのタブ横糸が、
前記取り付け部の前記縦糸の末端縦糸に取り付けられて、
また前記取り付け部に向けて伸びないように構成されており、
前記末端縦糸は、前記取り付け部の折り目より遠位の前記取り付け部の前記縦糸であることを特徴とする、請求項１２〜１７のいずれかに記載のセキュリティシート。
【請求項１９】
少なくとも１つのタブ横糸が、前記取り付け部と少なくとも部分的に交差して伸びることを特徴とする、請求項１２〜１８のいずれかに記載のセキュリティシート。
【請求項２０】
前記繊維の前記横糸は少なくとも１つのインフィル横糸を備え、
前記取り付け部は、少なくとも２つのタブ横糸の間において、前記少なくとも１つのインフィル横糸を備え、
少なくとも２つの隣接タブが前記少なくとも２つのタブ横糸を備えることを特徴とする、請求項１９に記載のセキュリティシート。
【請求項２１】
前記タブ横糸は、前記取り付け部の前記少なくとも１つのインフィル横糸及び／又は縦糸より小さな径を有することを特徴とする、請求項２０に記載のセキュリティシート。
【請求項２２】
前記少なくとも１つのタブ横糸は、前記取り付け部と部分的に交差して、前記取り付けレイヤの取り付けライン及び／又は折り目と交差して伸びることを特徴とする、請求項１９〜２１のいずれかに記載のセキュリティシート。
【請求項２３】
連続的な糸が複数の横糸を形成することを特徴とする、請求項１１〜２２のいずれかに記載のセキュリティシート。
【請求項２４】
前記セキュリティシートは、少なくとも２つのタブ横糸を形成する連続的な糸を備えており、
前記連続的な糸は、前記取り付け部におけるループを備えており、
前記ループは、前記データのページに対する取り付けライン及び／又は折り目の反対側に位置することを特徴とする、請求項２２又は２３に記載のセキュリティシート。
【請求項２５】
前記取り付け部の少なくとも２つの隣接縦糸は、少なくとも０．５ｍｍずつ互いに分離されていることを特徴とする、請求項１１〜２４のいずれかに記載のセキュリティシート。
【請求項２６】
前記取り付け部の少なくとも１つの縦糸は、前記少なくとも１つの縦糸及び／又は横糸の少なくとも１つの連動ループにより、前記取り付け部の少なくとも１つの横糸と共に織り合わせられることを特徴とする、請求項１１〜２５のいずれかに記載のセキュリティシート。
【請求項２７】
前記取り付け部は、前記データシートから部分的又は完全に離れて位置することを特徴とする、請求項１〜２６のいずれかに記載のセキュリティシート。
【請求項２８】
前記複数のタブの少なくとも２つの隣接タブは、
少なくとも１つの間隔により分離されて、
また少なくとも１つのクロスサポートにより前記データシート内で互いに取り付けられており、
前記少なくとも１つの間隔は、前記少なくとも１つのクロスサポートと前記取り付け部を分離することを特徴とする、請求項１〜２７のいずれかに記載のセキュリティシート。
【請求項２９】
請求項１〜２８のいずれかに記載の前記セキュリティシート、及び前記取り付け部に取り付けられている少なくとも１つのリーフを備える、セキュリティドキュメント。
【請求項３０】
セキュリティシートを形成するための積層構造であって、
データを表示するためのデータシートを形成するための少なくとも１つのボディレイヤと、
前記データシートをセキュリティドキュメントに取り付けるための取り付け部から伸びる複数のタブを有する取り付けレイヤとを備えており、
前記取り付けレイヤが前記少なくとも１つのボディレイヤから伸びるように、前記複数のタブは前記少なくとも１つのボディレイヤを少なくとも部分的に重ね合わせる、ことを特徴とする積層構造。
【請求項３１】
前記複数のタブの少なくとも一部に位置する少なくとも１つのパッチを備える、請求項３０に記載の積層構造。
【請求項３２】
セキュリティシートを形成する方法であって、
少なくとも１つのボディレイヤを重ね合わせるように取り付けレイヤを配置するステップを備えており、
前記取り付けレイヤは、データシートをセキュリティドキュメントに取り付けるための取り付け部から伸びる複数のタブを備えており、
前記方法は、
前記取り付けレイヤが、前記少なくとも１つのボディレイヤに取り付けられて、且つ前記少なくとも１つのボディレイヤから伸びるように、前記複数のタブを前記少なくとも１つのボディレイヤに取り付けるステップを備えており、
前記少なくとも１つのボディレイヤは、データを表示するための前記データシートを形成する、ことを特徴とする方法。
【請求項３３】
前記方法は、
前記複数のタブの少なくとも１つのタブを、前記少なくとも１つのボディレイヤの隣接ボディレイヤの間に少なくとも部分的に配置するステップを備えており、
前記隣接ボディレイヤのいずれかが互いに取り付けられて、
前記複数のタブの前記少なくとも１つのタブは前記隣接ボディレイヤの間に取り付けられることを特徴とする、請求項３２に記載の方法。
【請求項３４】
前記方法は、
前記少なくとも１つのボディレイヤの外表面を覆うように、前記複数のタブの少なくとも１つのタブを配置するステップを備えており、
前記複数のタブの前記少なくとも１つのタブは、前記少なくとも１つのボディレイヤの前記外表面及び前記データシートに取り付けられる、又は隣接していることを特徴とする、請求項３２又は３３に記載の方法。
【請求項３５】
少なくとも１つのパッチを前記複数のタブの少なくとも一部に配置するステップを備える、請求項３４に記載の方法。
【請求項３６】
前記取り付けレイヤを形成する方法は、縦糸及び横糸を備える繊維を与えるステップを備えており、
前記複数のタブは、前記繊維の前記横糸のタブ横糸の少なくとも一部を備えており、
少なくとも１つの保持糸は、少なくとも１つのタブ横糸と共に織り合わせられ、
前記方法は、取り付けるステップの前に、前記少なくとも１つの保持糸を取り除くステップを備えることを特徴とする、請求項３２〜３５のいずれかに記載の方法。
【請求項３７】
データを表示するデータシートを備えるセキュリティシートを形成するための取り付けレイヤであって、
セキュリティドキュメントに取り付けるための取り付け部、
及び前記取り付けレイヤが前記データシートから伸びるように、前記取り付け部から伸びて、且つ前記データシートに取り付けるための複数のタブを備える、取り付けレイヤ。
【請求項３８】
折り目について折り畳めるセキュリティブックレットであって、
データを表示するためのデータシートと、
前記折り目について折り畳める複数のリーフを有する内側ブックレットと、
前記データシートに取り付けられて、且つ前記内側ブックレット周りの前記折り目について折り畳める取り付けレイヤとを備えており、
前記取り付けレイヤは、前記折り目に沿って、且つ前記折り目と交差して伸びる折り目領域のいずれかの側に隣接領域を備えており、
前記折り目領域は前記隣接領域より薄い、ことを特徴とするセキュリティブックレット。
【請求項３９】
前記折り目領域は、前記折り目と交差する少なくとも０．５ｍｍの幅であることを特徴とする、請求項３８に記載のセキュリティブックレット。
【請求項４０】
前記取り付けレイヤは繊維を備えており、
前記隣接領域は、複数の横糸と共に織り合わせられる少なくとも２つの隣接縦糸を備えており、
前記折り目領域は、前記少なくとも２つの隣接縦糸の間において伸びる前記複数の横糸を備えることを特徴とする、請求項３８又は３９に記載のセキュリティブックレット。
【請求項４１】
前記取り付けレイヤの前記折り目は、前記少なくとも２つの隣接縦糸の間において、前記複数の横糸と交差して伸びることを特徴とする、請求項４０に記載のセキュリティブックレット。
【発明の詳細な説明】
【技術分野】
【０００１】
本発明は、データを表示するためのセキュリティシートに関する。本発明はまた、セキュリティシートなどを備えるセキュリティドキュメント、及びセキュリティシートとセキュリティドキュメントなどを製造する方法に関する。
【背景技術】
【０００２】
セキュリティドキュメント及びセキュリティブックレット、例えばパスポート、通帳、身分証明書類、証明書、ライセンス、小切手帳などは、一般的に、１つ以上のセキュリティシートを備える。情報は、このセキュリティシートに与えられる。パスポートブックレットは、一般的に、カバー、内部のビザページ、及びパスポート所持者の個人データを表示する少なくとも１つのセキュリティシートを備える。ビザページは、一般的に、紙から形成されて、ドキュメントの折り目と一致するステッチ線に沿って共に縫合されている。セキュリティシートは、プラスチック、一般的にポリカーボネートから形成され得る。また、セキュリティシートの製造の間、複数の薄いプラスチックレイヤが、互いに重ねられて、共に積層されることにより、より厚いプラスチックボディを形成する。このプラスチックボディは、一般的に、硬く、プラスチックの変形なく曲げることができないため、ブックレットが折り目において曲がるようにステッチ線に取り付けられない。
【０００３】
したがって、プラスチックボディは、該プラスチックボディに取り付けられて、且つ該プラスチックボディから伸びる柔軟なレイヤを用いて、折り目について取り付けられ得る。このステップは、通常、プラスチックボディが、個人データを変えるように試みる偽造者による剥離に耐えることを保証するため、必要とされる。また、柔軟なレイヤをプラスチックボディに、また折り目について取り付けることは、セキュリティブックレットの耐用期間において耐えるように十分に耐久性があり、また剥離に耐える必要がある。この耐用期間は、パスポートの場合、通常１０年以上である。
【０００４】
欧州登録特許１５９２５６５号は、２つの範囲のデータシートを提案している。第１の範囲において、柔軟性及び耐屈曲性がある取り付け部がストリップとしてデータ部に突出する。第２の範囲において、均一なデータ領域が、個人データを含み、また実質的に均一であることにより、剥離に対する抵抗を向上させる。一方、取り付け部のストリップは、小さく、またデータ部内及びデータ部の端部において明確な境界を形成する。取り付け部はデータ部に入る。結果として、第１の範囲は、剥離に対する抵抗が低く、試みられる剥離に対して、偽造者が鋭利な器具を挿入するように、データ部の端部における明確な境界を示す。実質的に、剥離の抵抗がより均一なデータ領域は、柔軟性のレイヤとデータ部の間のより小さな剥離の抵抗の取り付けを犠牲にして得られる。
【０００５】
欧州登録特許１５０２７６５号は、積層の間、繊維のメッシュ開口部を通してデータキャリアの溶接点を形成することにより、データキャリアに対して取り付けられる柔軟な繊維レイヤを有するデータページを開示している。繊維を用いることは、柔軟なレイヤとステッチ線の間の接続の耐久性を向上させる。一方、溶接点は、隣接レイヤの間の取り付けの非常に小さな領域を形成する。また、繊維の残りは、明確な境界を形成する。したがって、データページは、剥離に対する抵抗が小さい。
【発明の概要】
【０００６】
本発明の目的は、これらの課題に取り組むことを含む。本発明の目的は、偽造者による剥離に対する増加した抵抗と改善された耐久性を有して、改善されたセキュリティシートを提供することを含む。別の目的は、セキュリティシートとセキュリティドキュメントの残りの間の頑丈且つ耐久性がある取り付けを提供することである。別の目的は、このセキュリティシートと、このセキュリティシートを備えるセキュリティドキュメントとを製造する改善された方法を提供することを含む。
【０００７】
したがって、本発明はセキュリティシートを提供する。このセキュリティシートは、データを表示するためのデータシートと、データシートをセキュリティドキュメントに取り付けるための取り付け部から伸びる複数のタブを有する取り付けレイヤとを備える。取り付けレイヤが、データシートに取り付けられて、且つデータシートから伸びるように、複数のタブはデータシートに取り付けられている。
【０００８】
意外にも、タブが、取り付けとデータシートの間の頑丈且つ耐久性がある接続を与えることが分かる。複数のタブとデータシートの間の接触部の増加した表面領域により、欧州登録特許１５０２７６５号における、取り付けレイヤをデータシートに固定するためのメッシュ開口部を通して溶接点を有するよりも、データシートから取り付けレイヤの試みられる取り外しに対して強い摩擦力を与え得る。
【０００９】
好ましくは、複数のタブは、データシートに少なくとも部分的に組み込まれることによりデータシートに取り付けられている。データシートの材料はタブと一体化しているため、セキュリティシートは、実質的に、この領域において剥離に耐え得る。取り付けレイヤは、例えば個人データ周りのデータシートを重ね合わせる。これは、特に、欧州登録特許１５９２５６５号の内容に反する。欧州登録特許１５９２５６５号の内容は、剥離を避けるため、均一なデータ領域を必要とする。
【００１０】
好ましくは、少なくとも１つの間隔は、複数のタブの少なくとも２つの隣接タブを分離している。好ましくは、データシートの材料は、少なくとも２つの隣接タブがデータシートに少なくとも部分的に組み込まれるように、少なくとも１つの間隔を少なくとも部分的に埋める。したがって、データシートの材料に対して実質的且つ確認できる損傷を生じることなく、データシートから複数のタブを取り除くことは非常に難しい。
【００１１】
データシートは、少なくとも複数のボディレイヤから形成され得る。複数のタブの少なくとも１つのタブは、２つの隣接ボディレイヤの間に取り付けられている。この２つの隣接ボディレイヤは、互いに積層、接着、圧入、結合、及び／又は溶接されることにより、（すなわち、隣接タブの間の少なくとも１つの間隔において互いに直接接触して）少なくとも部分的に互いに取り付けられている。結果として、２つの隣接ボディレイヤは、少なくとも１つのタブを覆い、少なくとも１つのタブに隣接して、及び／又は隣接タブの間において互いに取り付けられる、又は結合される。特に、隣接ボディレイヤは、少なくとも２つの隣接タブの間において、少なくとも１つの間隔を通して互いに取り付けられている。複数のタブの少なくとも１つのタブは取り付けられる、又はデータシートの外表面に隣接し得る。少なくとも１つのタブは、例えば積層、接着、圧入、結合、又は溶接されることにより、外表面を形成するボディレイヤに少なくとも部分的に取り付けられ得る。したがって、ボディレイヤは、少なくとも１つのタブを覆い、且つ少なくとも１つのタブに隣接して、及び／又は隣接タブの間に配置され得る。
【００１２】
好ましくは、セキュリティシートは、データシート内又はデータシート上にデータ要素を備える。複数のタブは、データ要素を少なくとも部分的に重ね合わせる。データ要素は、レーザマーキング及び／又はプリントインクを備え、また好ましくは、セキュリティシートの所持者に関する個人データを備えてもよい。したがって、偽造者は、データの少なくとも一部に悪影響を与えることなく、複数のタブを取り除くこと、及び複数のタブに悪影響を与えることなく、データを改竄することに苦労する。したがって、偽造者のドキュメントはまた、容易に特定される。
【００１３】
好ましくは、取り付けレイヤは繊維を備える。好ましくは、取り付け部は、複数の横糸と交差する複数の縦糸を備える。複数のタブは、複数の横糸から伸びる複数の縦糸の部分、又は複数の縦糸から伸びる複数の横糸の部分を備える。結果として、取り付け部は十分に柔軟であり、またプラスチックの変形に耐えて、さらに耐久性がある。一方、（欧州登録特許１５０２７６５号により教示されるような）データシート内における繊維のメッシュがないため、横糸とデータシートの間の境界は小さく、従って剥離に耐える。複数のタブは、データシート内において起伏を備えてもよい。
【００１４】
代替の実施形態において、取り付けレイヤは、少なくとも１つのフィルムレイヤを備える。好ましくは、取り付け部は、少なくとも１つのフィルムレイヤの伸長ボディを備える。同様に／または、複数のタブは、少なくとも１つのフィルムレイヤを備え、また伸長ボディから伸びる。複数のタブの少なくとも１つのタブは、少なくとも１つの開口部、すなわち取り付け部から外向きのテーパ、少なくとも１つの端部における少なくとも１つの刻み目、取り付け部から伸びる少なくとも１つのフィルムレイヤのストリップ、及び／又は少なくとも１つの返しを備える。少なくとも１つのフィルムレイヤは、積層の間、データシートに容易に組み込まれて、データシートと取り付け部の間の接続を改善するための適切な形状を有してもよい。
【００１５】
本発明はまた、請求項３２に示す方法を提供する。この方法はまた、少なくとも１つのボディレイヤの積層、接着、圧入、結合、溶接、及び／又は他の取り付けにより、取り付けレイヤを少なくとも１つのボディレイヤに取り付けることを備えてもよい。したがって、複数のタブは、少なくとも１つのボディレイヤに少なくとも部分的に組み込まれる。複数のタブは、取り付けの前に、少なくとも１つのボディレイヤの隣接ボディレイヤの間に少なくとも部分的に配置され得る。隣接ボディレイヤは、例えば積層、接着、圧入、結合、及び／又は溶接により、複数のタブの少なくとも２つの隣接タブの間の少なくとも１つの間隔を通して互いに取り付けられ得る。複数のタブは、少なくとも１つのボディレイヤの少なくとも１つの外表面を少なくとも部分的に覆うように配置され得る。複数のタブの少なくとも１つは、少なくとも１つの外表面に対して、積層、溶接、接着、又は他の取り付けが行われ得る。
【００１６】
取り付けレイヤを形成する方法は、縦糸及び横糸を備える繊維を与えるステップ、及び横糸の部分を曝すように繊維から縦糸の一部を取り除くステップを備えてもよい。取り付け部は、残存する複数の縦糸と交差する複数の横糸を備える。また、複数のタブは、複数の横糸の曝されている部分を備える。複数のタブの少なくとも１つのタブは、データシートの１つ以上の端部において、少なくとも部分的に曝され得る。また、１つ以上の端部は、少なくとも１つの曝されたタブを覆うように密閉され得る。
【００１７】
本発明はまた、請求項２９に記載のセキュリティドキュメント、請求項３０に記載の積層構造、及び請求項３７に記載の取り付けレイヤを提供する。
【００１８】
本発明はさらに、請求項３８に記載のセキュリティブックレットを提供する。本発明は、折り目について折り畳めるセキュリティブックレットを提供する。このセキュリティブックレットは、データを表示するためのデータシートと、折り目について折り畳める複数のリーフを有する内側ブックレットと、データシートに取り付けられて、且つ内側ブックレット周りの折り目について折り畳める取り付けレイヤとを備える。取り付けレイヤは、折り目に沿って、且つ折り目と交差して伸びる折り目領域のいずれかの側に隣接領域を備える。取り付けレイヤは繊維を備える。隣接領域は、複数の横糸と共に織り合わせられる少なくとも２つの隣接縦糸を備える。折り目領域は、少なくとも２つの隣接縦糸の間において伸びる複数の横糸を備える。折り目領域は、折り目と交差する少なくとも０．５ｍｍの幅である。上記セキュリティブックレットは、添付の請求項のいずれかの特徴を備えてもよい。
【図面の簡単な説明】
【００１９】
例えば、本発明に記載のセキュリティシート、セキュリティドキュメント、及び製造の方法の実施形態が、添付の図面を参照して説明される。
【図１】図１は、本発明に記載のセキュリティドキュメント、特にパスポートの開いた構成の斜視図を示す。
【図２】図２は、図１のセキュリティドキュメントの分解した構成の折り目領域の側面の断面図を示す。
【図３】図３は、本発明に記載のセキュリティシートの実施形態の概略図を示す。
【図４Ａ】図４Ａは、本発明に記載の積層構造の実施形態の側面の断面図を示す。
【図４Ｂ】図４Ｂは、図４Ａの積層構造から形成されるセキュリティシートの実施形態の側面の断面図を示す。
【図５Ａ】図５Ａは、本発明に記載の積層構造の実施形態の側面の断面図を示す。
【図５Ｂ】図５Ｂは、図５Ａの積層構造から形成されるセキュリティシートの実施形態の側面の断面図を示す。
【図６Ａ】図６Ａは、本発明に記載の積層構造の実施形態の側面の断面図を示す。
【図６Ｂ】図６Ｂは、図６Ａの積層構造から形成されるセキュリティシートの実施形態の側面の断面図を示す。
【図７Ａ】図７Ａは、本発明に記載の積層構造の実施形態の側面の断面図を示す。
【図７Ｂ】図７Ｂは、図７Ａの積層構造から形成されるセキュリティシートの実施形態の側面の断面図を示す。
【図８】図８は、本発明に記載のセキュリティシートの実施形態の概略図を示す。
【図９】図９は、図３のセキュリティシートの特定の実施形態の部品の側面の断面図を示す。
【図１０】図１０は、本発明に記載のセキュリティシートの実施形態の概略図を示す。
【図１１】図１１は、本発明に記載のセキュリティシートの実施形態の概略図を示す。
【図１２】図１２は、本発明に記載のセキュリティシートの実施形態の概略図を示す。
【図１３Ａ】図１３Ａは、本発明に記載の複数のセキュリティシートを形成するための積層構造の概略図を示す。
【図１３Ｂ】図１３Ｂは、図１３Ａの積層構造から形成されるセキュリティシートの概略図を示す。
【図１４】図１４は、本発明に記載のセキュリティシートの実施形態の概略図を示す。
【図１５】図１５は、本発明に記載のセキュリティシートの実施形態の概略図を示す。
【図１６】図１６は、本発明に記載のセキュリティシートの実施形態の概略図を示す。
【図１７Ａ】図１７Ａは、図１６のセキュリティシートを形成するための積層構造の実施形態の側面の断面図を示す。
【図１７Ｂ】図１７Ｂは、図１６のセキュリティシートの側面の断面図を示す。
【図１８】図１８は、本発明に記載のセキュリティシートの実施形態の概略図を示す。
【図１９】図１９は、本発明に記載のセキュリティシートの実施形態の概略図を示す。
【図２０】図２０は、図１９のセキュリティシートの取り付けレイヤを形成するための取り付けレイヤの構造の概略図を示す。
【図２１】図２１は、図２０のセキュリティシートの横糸の概略図を示す。
【図２２】図２２は、図２０のセキュリティシートの横糸の概略図を示す。
【図２３】図２３は、図２０のセキュリティシートの横糸の概略図を示す。
【図２４】図２４は、図１９のセキュリティシートの縦糸と横糸の間の連動ループの図を示す。
【発明を実施するための形態】
【００２０】
本発明によれば、図１，２は、セキュリティドキュメント１０を示す。セキュリティドキュメント１０は、いずれかの適切な形状である一方、好ましくは、セキュリティブックレット、例えば図示するようなパスポート、通帳、身分証明書類、証明書、ライセンス、小切手帳などを備える。セキュリティドキュメント１０は、折り目１２について折り畳めて、好ましくは折り目１２に沿って複数のリーフ１３に取り付けられるセキュリティシート１１、この場合、データページを備える。複数のリーフ１３は、好ましくは、例えば紙及び／又は綿を有する繊維状基質を備えて、ビザページを形成して、セキュリティドキュメント１０の内側ブックレットを形成し得る。セキュリティドキュメント１０はまた、カバー１４を備える。このカバー１４は、折り目１２について折り畳められて、また折り目１２に取り付けられ得る、及び／又はリーフ１３とセキュリティシート１１の外側に配置されている外側リーフ（図示せず）に接着され得る。好ましくは、取り付けは、折り目１２におけるセキュリティシート１１、リーフ１３、及び／又はカバー１４を通る縫合により行われる一方、接着のような他の取り付け手段も用いられ得る。ステッチ線又は他の取り付け線は、折り目１２からオフセットされる。
【００２１】
セキュリティシート１１は、データ１６を表示するためのデータシート１５、及びデータシート１５に取り付けられている取り付けレイヤ１７を備える。このデータシート１５は、折り目１２の近くに配置されている内側端部２２から、折り目１２より遠位且つセキュリティドキュメント１０の端部の外側端部２３に向かう幅と交差して伸びる。図４Ａ，５Ａ，６Ａ，７Ａ，１３Ａ，１７Ａに示す実施形態において、セキュリティシート１１は、好ましくは、データシート１５を形成するための少なくとも１つのボディレイヤ１８と取り付けレイヤ１７を備える積層構造１９の積層により形成される。好ましくは、データシート１５は、複数のボディレイヤ１８と共に積層により形成される。積層の間、熱及び／又は圧力が、複数のボディレイヤ１８を共に結合するように与えられる。積層は、いずれかの適切な方法を用いて行われて、国際公開特許２０１７／０６０６８４と国際公開特許２０１７／０６０６８８と同様に、実質的にインライン方法であってもよい。このインライン方法において、複数のセキュリティシート１１が連続的に形成される。また、複数のボディレイヤ１８の接続は、接着、溶接、及び／又は他の適切な方法であってもよい。
【００２２】
データシート１５は、実質的に平面の第１外表面２８と第２外表面２９の間の厚みと交差して伸びる。好ましくは、データシート１５は実質的に硬い、又は少なくとも半硬質である。データシート１５及び少なくとも１つのボディレイヤ１８は、少なくとも１つの熱可塑性ポリマ、ポリカーボネート、ポリブチレンテレフタレート、ポリエステル、ポリエチレン、ポリプロピレン、ポリ塩化ビニル、いずれかの上記熱可塑性ポリマを含む共重合体、及び繊維状基質などを備えてもよい。それぞれのボディレイヤ１８は約５０〜１０００μｍの厚みである。好ましくは、データシート１５の厚みは、少なくとも約１５０μｍであり、約３００〜１０００μｍの厚みである。
【００２３】
好ましくは、データ１６は、英数字、記号、ロゴ、又は印などをそれぞれ形成する複数のデータ要素を備える。好ましくは、データ１６は個人又は可変データ２０を備える。この個人又は可変データ２０は、特に、セキュリティシート１１の所持者に関連して、複数のセキュリティドキュメント１０の間において異なる。また、データ１６は固定又は非可変データ２１を備える。このデータ１６は固定又は非可変データ２１は、一般的に、複数のセキュリティドキュメント１０とセキュリティシート１１にわたって同じである。データ１６は、いずれかの適切な方法における積層の前及び／又は後に、例えばレーザマーキング又はインクプリントによりデータシート１５に組み込まれる。少なくとも１つのボディレイヤ１８は、データシート１５がレーザマーキングされるように、例えば適切な添加剤を含むことにより、レーザマーキングできる。
【００２４】
本発明において、図３〜１９に示すように、取り付けレイヤ１７は、取り付け部２６から伸びる複数のタブ２５を備える。取り付け部２６は、データシート１５の外側に少なくとも部分的に、好ましくは全体に配置されて、また図示するように好ましくは折り目１２に沿ってセキュリティドキュメント１０に取り付けられている。取り付け部２６は、図示するように実質的に伸長なシート又はボディを備えてもよい。好ましくは、縫合は、別のリーフ１３に取り付けるように、取り付け部２６を通して、且つ折り目１２に沿って伸びる。好ましくは、取り付け部２６は柔軟であり、セキュリティドキュメント１０の開閉を弱めないように、折り目１２周りに折り畳み得る。好ましくは、取り付け部２６は、損傷なく、セキュリティドキュメント１０の耐用期間を通して繰り返される折り畳みに耐える十分な耐久性があるように、折り畳みの間、実質的にプラスチックの変形に耐える。好ましくは、取り付け部２６は、特に折り目１２において、また折り目１２を通過する縫合周りにおいて、実質的に引きはがしに耐える。以下、詳細に説明するように、取り付け部２６は、繊維、織布、不織布、スレッド、糸、ストリップ、及び／又は少なくとも１つのフィルムレイヤ４０などを備えてもよい。取り付けレイヤ１７は、共に接着又は積層される複数のレイヤを備えてもよい。
【００２５】
タブ２５は、取り付けレイヤ１７がデータシート１５及び好ましくは内側端部２２から伸びるように、データシート１５に少なくとも部分的に配置されて、また取り付けられている。それぞれのタブ２５は、取り付け部２６に取り付けられる、組み込まれる、又は接続される実質的に伸長なボディを備える。少なくとも１つの間隔２７は、複数のタブ２５の少なくとも２つの隣接タブ２５を分離する。また、それぞれのタブ２５は、取り付け部２６以外で別のタブ２５に接続できない。
【００２６】
タブ２５は、積層により、好ましくは複数のボディレイヤ１８の積層、及び／又は少なくとも１つのボディレイヤ１８若しくは積層されたデータシート１５に対する溶接の間、データシート１５に取り付けられている。図４Ａ，５Ａは、積層構造１９の特に好ましい実施形態を示す。タブ２５は、積層の前に、この積層構造１９において、２つの隣接ボディレイヤ１８の間に少なくとも部分的に配置されている。図４Ｂ，５Ｂに示すように、積層構造１９は、セキュリティシート１１を形成するために積層される。図において、ボディレイヤ１８は、データシート１５を形成するように互いに結合される。また、タブ２５はデータシート１５内に実質的に配置されている。積層の間、隣接タブ２５に隣接して、且つ隣接タブ２５を覆う２つのボディレイヤ１８の材料が少なくとも１つの間隔２７を通して流れる、又は付勢される。結果として、データシート１５の材料は、少なくとも部分的に、少なくとも２つの隣接タブ２５の間における少なくとも１つの間隔２７を埋める。したがって、隣接タブ２５はデータシート１５に組み込まれている。好ましくは、隣接タブ２５の間の間隔２７は、強い接続を確実にするように、データシート１５の材料により埋まる。
【００２７】
図６Ａ，７Ａ，１７Ａは、積層構造１９の実施形態を示す。タブ２５は、この積層構造１９において、少なくとも１つのボディレイヤ１８とデータシート１５の第１外表面２８又は第２外表面２９に配置されている。図６Ｂ，７Ｂ，１７Ｂに示すように、タブ２５は、データシート１５において、データシート１５の外表面に少なくとも部分的に取り付けられる、又は隣接している。タブ２５は、複数のボディレイヤ１８の積層の間、第１外表面２８又は第２外表面２９に積層及び圧入され得る。代替として、タブ２５は、複数のボディレイヤ１８の積層の前又は後において、第１外表面２８又は第２外表面２９に溶接され得る。それぞれの方法において、少なくとも１つのボディレイヤ１８の材料は、接続を形成するように、少なくとも１つの間隔２７を通して流れる、又は付勢される。したがって、タブ２５は少なくとも部分的にデータシート１５に組み込まれている。積層又は溶接は、好ましくは、タブ２５を第１外表面２８又は第２外表面２９に向けて十分に深く圧入する。実質的にすべてのタブ２５は曝されることがなく、また少なくとも１つのボディレイヤ１８の材料により覆われている。
【００２８】
したがって、タブ２５は、データシート１５から取り付けレイヤ１７の試みられる取り外しに対して抵抗を与える摩擦力により、少なくとも１つのボディレイヤ１８と強く接続されている。タブ２５は、例えば機械、結合、化学、又は他のロック機構ではなく摩擦により、データシート１５に対して接続され得る。好ましくは、タブ２５は、別の境界又は摩擦接触面が材料の間に形成されるように、データシート１５の材料を囲む異なる材料を備える。したがって、タブ２５は、隣接ボディレイヤ１８よりも大きな融点の材料を備える。また、タブ２５は、積層又は溶接の間、溶融、又はボディレイヤ１８に結合しない。一方、代替又は追加として、タブ２５は、接続の強さを向上させるため、ボディレイヤ１８との結合及び／又は接着などによりデータシート１５と少なくとも部分的に結合され得る。
【００２９】
好ましくは、接触面領域は、接続の強さを向上させるため、相対的に大きい。したがって、図３，８〜１６に示すように、好ましくは、複数のタブ２５は、それぞれ、間隔２７により隣接タブ２５から分離している。一方、やむを得ず、製造の間、又は設計により、１つ以上のタブ２５が１つ以上の隣接タブ２５を重ね合わせ得る。したがって、複数のタブ２５の好ましくは少なくとも５０％、より好ましくは少なくとも７５％、さらに好ましくは少なくとも９０％、又はそれよりも好ましくは少なくとも９５％が、間隔２７により隣接タブ２５から分離している。好ましくは、取り付けレイヤ１７は、少なくとも５個のタブ２５、好ましくは少なくとも１０個のタブ２５、より好ましくは少なくとも２０個のタブ２５、さらに好ましくは少なくとも５０個のタブ２５を備える。
【００３０】
図４Ａ，４Ｂ，７Ａ，７Ｂ，８，１３Ａ，１３Ｂ，１５に示すように、タブ２５は、データシート１５と実質的に全体に交差して伸び得る。一方、図３，５Ａ，５Ｂ，６Ａ，６Ｂ，１０，１１，１２，１４〜１９に示すように、タブ２５は、データシート１５と部分的に交差して伸び得る。タブ２５及び間隔２７は、データシート１５の少なくとも２５％、５０％、７５％、又は９０％と交差して、データシート１５の内側端部２２からデータシート１５の外側端部２３に向けて（すなわち、折り目１２と実質的に垂直な方向においてデータシート１５と交差して）伸び得る。
【００３１】
少なくとも１つの間隔２７の大きさは、データシート１５の剥離に対する抵抗を与えるため、タブ２５の間において流れる、接着する、及び／又は結合するデータシート１５の材料の適切な大きさの体積を可能にするように選択される。少なくとも１つの間隔２７の平均幅は、少なくとも１つの間隔２７に隣接しているタブ２５の平均幅よりも少なくとも大きくてもよい。代替として、少なくとも１つの間隔２７の幅、平均幅、又は最大幅は、少なくとも１つの間隔２７に隣接しているタブ２５の最大幅よりも少なくとも大きくてもよい。間隔２７の幅は、折り目１２と実質的に平行な方向における隣接タブ２５の間の距離であってもよい。同様に／または、タブ２５の幅は、折り目１２と実質的に平行な方向におけるタブ２５の対向する外側端部の間の距離であってもよい。少なくとも１つの間隔２７の最大幅及び／又は平均幅は、好ましくは少なくとも約０．５ｍｍ、より好ましくは少なくとも約１ｍｍ、さらに好ましくは少なくとも約２ｍｍ、それよりも好ましくは少なくとも約５ｍｍである。間隔２７の幅はまた、取り付けレイヤ１７と交差して変わり得る。
【００３２】
取り付けレイヤ１７の様々な変形例が、本発明の範囲に含まれる。図３，８，１６，１８，１９において、取り付けレイヤ１は、横糸３０と縦糸３１を有する繊維を少なくとも部分的に備える。取り付け部２６は、織り合わせられる横糸３０と縦糸３１を有して、織り込まれた、及び／又は編まれた繊維を備える。特に、取り付け部２６は、繊維の少なくとも２つの横糸３０の少なくとも一部を織り合わせる、及び／又は重ね合わせる繊維の少なくとも２つの縦糸３１を備える。縦糸３１は、データシート１５の折り目１２及び／又は内側端部２２を互いに実質的に平行に伸ばし得る。横糸３０は、好ましくは互いに実質的に平行に伸ばす、好ましくは縦糸３１、データシート１５の内側端部２２、及び／又は折り目１２と実質的に垂直である。取り付けレイヤの向きに応じて、横糸３０が縦糸３１と呼称され得ること、及び本明細書において用いられる用語が命名のために単に用いられることが分かる。タブ２５はまた、取り付け部２６の繊維の外側に伸びる横糸３０の部分を備える。特に、横糸３０はタブ横糸６１を備える。また、タブ２５はタブ横糸６１の少なくとも一部を備える。それぞれのタブ２５は、単一の横糸３０を備えてもよい。特に、タブ２５は、末端縦糸６３から伸びる横糸３０の部分を備える。この末端縦糸６３は、折り目１２より遠位、及び／又はデータシート１５の内側端部２２の近くの取り付け部２６の縦糸３１である。
【００３３】
図３，１６，１８，１９において、繊維は、横糸３０と縦糸３１を形成するスレッド又は糸を備える。本発明において、スレッドと糸が交互に用いられて、製織、編み、縫い、又は他の織り合わせ方法により繊維を形成するための材料の長く薄いより糸を示す。例えば、糸は、少なくとも１つの綿、ポリアミド、ポリエステル、ビスコース、ガラス、ポリプロピレン、ポリアラミド、ポリウレタン、ナイロン、接着ナイロン、ポリコットン、及び／又は他の適切な繊維を備えてもよい。それぞれの糸は、実質的に円形、トリロバル、小繊維化、溝付き、ドッグボーン、又は様々な断面である。それぞれの糸は、単一、一層（すなわち、共により合わせられた繊維の単一のより糸、又は単一のフィラメントのより糸）、多層（すなわち、共により合わせられた複数の単一の糸）、又はコード糸（すなわち、共により合わせられた複数の多層の糸）であってもよい。それぞれの糸は、約２６マイクロンから約３００マイクロンまでの範囲の径を有してもよい。糸の間の間隔２７は、約１８マイクロンから約２００マイクロンまでの幅を有してもよい。取り付け部２６の糸を通した繊維、好ましくは織り込まれて糸を通した繊維は、柔軟且つプラスチックの変形に耐えるため、特に適切である。横糸３０は複数のタブ２５を形成するため、タブ２５とデータシート１５の間の接触面領域は特に大きい。
【００３４】
図８において、繊維は、横糸３０と縦糸３１を形成するストリップを備える。ストリップは、例えば、ポリエステル、ポリアミド、綿、ビスコース、ガラス、ポリプロピレン、ポリアラミド、ポリウレタン、及び／又はナイロンなどを備えてもよい。好ましくは、ストリップの幅は約０．５〜１０ｍｍの範囲である。
【００３５】
取り付けレイヤ１７は、横糸３０の部分を通して縦糸３１を織り込むことにより形成され得る。一方、取り付けレイヤ１７を形成する方法は、織布から縦糸３１の部分を取り除くこと、及びタブ２５を形成するための横糸３０の部分を曝すこと（又は、代替として、織布から横糸の部分を取り除いて、縦糸の部分を曝すこと）を備えてもよい。図９は、積層の後のデータシート１５の部分の断面図を示す。したがって、横糸３０の曝された部分は起伏を有する。この起伏は、最初に、織布において縦糸３１により付勢される。これらの起伏は、データシート１５の厚みを通して正弦波経路を形成して、取り付けレイヤ１７の取り外しに対する抵抗を増加する。代替として、織布は、縦糸３１の少なくとも一部が水などの液体に溶けるように形成され得る。また、これらの縦糸３１は、織布を液体に浸すことにより取り除かれる。
【００３６】
図３，８，１６において、取り付け部２６は、繊維のすべての横糸３０と織り合わせられる繊維のすべての縦糸３１を備える。タブ２５は、すべての横糸３０がタブ横糸６１であるように、繊維のすべての横糸３０の部分を備える。結果として、取り付け部２６は、複数の横糸３０と交差する複数の縦糸３１を備える。また、複数のタブ２５は、複数の縦糸３１から伸びる複数の横糸３０の部分を備える。
【００３７】
一方、図１８，１９に示すように、タブ２５は、合計及び／又は単位面積当たりの数（好ましくは単位面積当たりの平均の数）が取り付け部２６の横糸３０より少ないタブ横糸６１を備えてもよい。特に、横糸３０は、タブ横糸６１とインフィル横糸６２を備える。タブ２５は、タブ横糸６１の少なくとも一部を備える。また、取り付け部２６は、インフィル横糸６２とタブ横糸６１の両方を備える。タブ横糸６１は、取り付け部２６の縦糸３１から伸びて、タブ２５を形成する。インフィル横糸６２は、例えば、図１８に示す取り付け部２６の外側の縦糸３１の間において伸びることにより、取り付け部２６の外側に向けて実質的に伸びることがなく、好ましくは、データシート１５に向けて伸びない。したがって、タブ２５と取り付け部２６の間の境界は、インフィル横糸６２の端部において形成され得る。少なくとも１つのインフィル横糸６２は、取り付け部２６における隣接タブ横糸６１の間に配置されて、また少なくとも１つ又はそれぞれのタブ横糸６１のそれぞれの側面に配置されている。したがって、隣接タブ２５は、少なくとも１つのインフィル横糸６２のいずれかの側面に隣接している、又は位置するタブ横糸６１を備えてもよい。取り付け部２６は、固定縫合が取り付け部２６を通して折り目１２に沿って形成され得ることを確実にするため、取り付け部２６の横糸３０より少ないタブ横糸６１を有することにより、縦糸３１と横糸３０のより大きな密度を有する。一方、タブ２５の領域は、データシート１５の厚みがほぼ増加しないように、縦糸３１と横糸３０の小さな密度を有する。また、セキュリティドキュメント１０におけるデータシート１５の固定接続は、互いに分離するように重ね合わせるタブ横糸６１の可能性を減らすことにより、まだ得られない。
【００３８】
タブ横糸６１は、取り付け部２６と交差して少なくとも部分的に伸びる。図３，８，１６において、タブ横糸６１は取り付け部２６と全体に交差して伸びる。一方、図１９と以下に説明するように、タブ横糸６１は、取り付け部２６と交差して部分的に伸び得る。代替として、タブ横糸６１は、取り付け部２６に向けて実質的に伸びない、又は取り付け部２６を形成するように、末端縦糸６３に取り付けられて、取り付け部２６と異なる横糸３０を備える。この実施形態において、取り付け部２６はインフィル横糸６２を備える。
【００３９】
図１９は、繊維を備える取り付けレイヤ１７の好ましい構造を示す。図１９は、取り付けレイヤ１７の構成を示すため、分解図において、取り付けレイヤ１７を示す。一方、取り付けレイヤ１７は、強固に引き寄せられて、複数のタブ２５（例えば、少なくとも２０個又は５０個若しくは上述のいずれかの数のタブ２５）を備えてもよい。取り付け部２６は、少なくとも約８ｍｍ、又は少なくとも約１０ｍｍ、及び／若しくは選択的に約３０ｍｍ又は約２０ｍｍまでの外側の縦糸３１の間における幅を有してもよい。実施形態において、取り付け部２６は、５個の縦糸３１だけを備えて、また５個以下の縦糸３１、１０個以下の縦糸３１、又は１５個以下の縦糸３１を備えてもよい。取り付け部２６の少なくとも２つの隣接縦糸３１は、少なくとも約０．５ｍｍ、少なくとも約１ｍｍ、少なくとも約１．５ｍｍ、少なくとも約２ｍｍ、又は少なくとも約３ｍｍにより互いに分離され得る（特に内側端部２２、取り付け線、及び／又は折り目１２と垂直な方向に分離され得る）。
【００４０】
図１９において、取り付けレイヤ１７の折り目領域６５は、第１隣接領域６６と第２隣接領域６７の間のセキュリティドキュメント１０の折り目に沿って（すなわち、折り目１２に沿って）、また折り目と交差して伸びる。折り目領域６５は、第１隣接領域６６と第２隣接領域６７のそれぞれより薄い。取り付けレイヤ１７は、内側ブックレット周りの折り目について折り畳められている。この内側ブックレットは、複数のリーフ１３を備え、上記折り目について折り畳められている。第１隣接領域６６と第２隣接領域６７は、それぞれ、取り付けレイヤ１７の（特に取り付け部２６の）横糸３０と織り合わせられる、又は重ね合わせる第１及び第２隣接縦糸６６，６７により形成されて、折り目領域６５より厚くなり、隣接縦糸３１の間において伸びる横糸３０を備えてもよい。結果として、折り目領域６５と折り目１２は、隣接縦糸３１に沿って、且つ隣接縦糸３１の間において伸びて、好ましくは、上記取り付けレイヤ１７の縦糸３１を重ね合わせない。上記縦糸３１の分離と同様に、折り目領域６５は、（好ましくは、折り目１２及び／又は縦糸３１に全体に沿って）折り目１２と交差して、且つ第１隣接領域６６と第２隣接領域６７の間の少なくとも約０．５ｍｍ、少なくとも約１ｍｍ、少なくとも約１．５ｍｍ、少なくとも約２ｍｍ、又は少なくとも約３ｍｍの幅である。結果として、内側ブックレットの折り目（特に最も外側のリーフ１３）は折り目領域６５と隣接している。また、内側ブックレットは、第１隣接領域６６と第２隣接領域６７が内側ブックレットの折り目のいずれかの側面に配置されるように、折り目領域６５と接触して配置されている。特に、セキュリティドキュメント１０は閉じるように折り畳められるとき、第１隣接領域６６と第２隣接領域６７は、内側ブックレットの折り目のいずれかの側面に配置されている。また、内側ブックレットは、折り目において、又は折り目１２に沿って、第１隣接領域６６と第２隣接領域６７の間における横糸３０と接触している。
【００４１】
取り付け部２６はまた、横糸３０と縦糸３１を形成するように、取り付け部２６を通して少なくとも部分的に伸びる少なくとも１つの糸８０，８１，８２，８３を備える。特に、複数の横糸３０及び／又は縦糸３１は、単一の連続的な糸８０，８１，８２，８３を備えてもよい。図２０は、図１９の取り付けレイヤ１７を製造する方法を示す。図２１〜２３は、取り付けレイヤ１７の横糸３０を形成するための方法において用いられる糸８０，８１，８２，８３を示す。図２０〜２３は、分解した構成の糸８０，８１，８２，８３を示す。また、糸８０，８１，８２，８３は強固に引き寄せられている。図２０は、取り付けレイヤ繊維７０の構成を示す。この取り付けレイヤ繊維７０は、切れ目７２のいずれかの側面において、また図示する切れ目７２と垂直に切り取るとき、別の取り付けレイヤ１７のいずれかの側面において、２つの取り付けレイヤ１７を形成するため、切れ目７２に沿って切り取られ得る。取り付けレイヤ繊維７０は、好ましくは機械において形成される。また、糸８０，８１，８２，８３は、横糸３０を形成するための横糸８０，８１，８２、及び縦糸３１を形成するための縦糸８３を備え、機械に向けて供給される。この機械は、ピック７１において、横糸８０，８１，８２におけるループを形成して、横糸８０，８１，８２を縦糸８３と織り合わせる。好ましくは、機械は、編み機、より好ましくはかぎ針編み機である。
【００４２】
取り付けレイヤ１７と取り付けレイヤ繊維７０は、タブ横糸８０、第１インフィル横糸８１、第２インフィル横糸８２、及び少なくとも１つの縦糸８３を備える。特に、複数の縦糸８３は、織り合わせるための横糸８０，８１，８２と接触している機械により供給され得る。それぞれ分離している縦糸８３は、単一の縦糸８３が複数の縦糸３１を形成するように、好ましくは、図に示すような分離している縦糸３１を形成する。
【００４３】
タブ横糸８０はタブ横糸６１を形成する。タブ横糸８０は、取り付け部２６に向けて少なくとも部分的に伸びて、少なくとも１つの縦糸８３又は縦糸３１と織り合わせられ得る。タブ横糸８０は、取り付け部２６の外側に向けて少なくとも部分的に伸びて、タブ横糸８０自体と織り合わせられない。タブ横糸８０は、それぞれの取り付け部２６の縦糸８３の間における取り付けレイヤ繊維７０と交差して連続的に伸びて、切り取る前に、それぞれの取り付け部２６において、複数回、開いたループとなる（すなわち、交差することなく戻る）。それぞれの取り付け部２６は、切り取りの後、複数のタブ横糸８０を備え、それぞれ、２つの隣接タブ横糸６１、及び連続的なタブ横糸８０から形成される取り付け部２６内のループを形成する。
【００４４】
タブ横糸８０とタブ横糸６１は、取り付け部又は折り目１２を越えて取り付け部２６に向けて、好ましくは、取り付け部及び／又は折り目１２を越えて縦糸３１に向けて伸びる。図示するように、（例えば、１０個以下又は５個の縦糸３１があるとき）タブ横糸６１は、末端縦糸６３から内側の第２又は第３縦糸３１に向けて伸び得る。したがって、２つのタブ横糸６１の間のタブ横糸８０のループが、データシート１５に対する取り付け部及び／又は折り目１２の反対側に配置されている。また、タブ横糸８０は、少なくとも１つの縫合など、セキュリティシート１１をセキュリティドキュメント１０に固定する取り付け手段の少なくとも一部の周りをループする。タブ横糸８０は、末端縦糸６３とループの間において、末端縦糸６３とループを含むそれぞれの縦糸３１と織り合わせられ得る。結果として、タブ横糸６１は、両方の取り付け手段により取り付け部２６に固定されて、縦糸３１と織り合わせる。すべての取り付け部２６と交差して伸びないことにより、セキュリティドキュメント１０内の取り付けレイヤ１７の移動は減少する。
【００４５】
第１インフィル横糸８１と第２インフィル横糸８２は、外側の縦糸３１の間における取り付け部２６のループにより、取り付け部２６のインフィル横糸６２を連続的に形成する。図２０，２２，２３に示すように、第１インフィル横糸８１と第２インフィル横糸８２は、第１インフィル横糸８１のそれぞれのループが、対応する第２インフィル横糸８２のループと対向する外側のループ３１であるように、それぞれのピック７１において、代替の外側の縦糸３１における開いたループを形成する。
【００４６】
図１９，２０において、横糸８０，８１，８２と縦糸８３の間の織り合わせを示す。一方、横糸８０，８１，８２と縦糸８３は、例えば編みにより互いに連動している。特に、縦糸８３は、縫合により互いに取り付けられるように、少なくとも１つの横糸８０，８１，８２に編まれ得る。本発明において、「編み」は、糸の間において閉じて連動するループを形成することを示す。好ましくは、編みはかぎ針編みである。また、それぞれの連動は、かぎ針編み縫合を備える。織り合わせる方法として織り込むよりも編みを用いることは、偽造者がセキュリティドキュメント１０からほどく又は取り除くことが難しい取り付けレイヤ１７をもたらす。図２４は、特に適切な実施形態を示す。この実施形態において、縦糸８３が、少なくとも１つの横糸８０，８１，８２周りの閉じたループを形成する。特に、縦糸ガイド８５は、縦糸８３を針８６に供給する。図示するように、この針８６は、逆とげのある針８６である。針８６は、横糸８０，８１，８２の一方の側面を重ね合わせて、（図２４に示す）横糸８０，８１，８２周りの開いたループに縦糸８３を保持する。針８６は、方向Ａにおいて、ループを通して縦糸８３を引き出して、縦糸８３の横糸８０，８１，８２周り（図示せず）の閉じて連動しているループを形成するように、横糸８０，８１，８２との重ね合わせから抜け出す。針８６は、隣接横糸８０，８１，８２と織り合わせるため、別の開いたループを形成するように方向Ｂに戻る。図２４において、１つだけの横糸８０，８１，８２を示す一方、それぞれの横糸８０は、好ましくは、複数の横糸８０，８１，８２周りの閉じて連動しているループを形成する。図２０において、横糸８０，８１，８２は重ね合わせる。
【００４７】
図２０に示すように、取り付けレイヤ繊維７０は、タブ横糸８０と織り合わされている複数の保持糸８４を備えてもよい。結果として、切り取り後に形成されている取り付けレイヤ１７は、それぞれ、タブ横糸６１と織り合わされて、且つタブ横糸６１を分離する少なくとも１つの保持糸８４を備える。少なくとも１つの保持糸８４は、横糸８０，８１，８２及び縦糸８３に対して同様の方法で連動する、及び／又は編むことによりタブ横糸８０と織り合わされ得る。好ましくは、少なくとも１つの保持糸８４は、データシート１５に最終的に取り付けられているタブ２５の領域に配置されている。好ましくは、少なくとも１つの保持糸８４は、タブ２５の端部における重ね合わせを避けるため、取り付け部２６の縦糸３１よりもタブ２５の端部の近くに配置されている。少なくとも１つの保持糸８４は、データシート１５に対する取り付けの前に外れないことを確実にするように、タブ２５の端部から少なくとも５ｍｍであってもよい。
【００４８】
（例えば、積層又は溶接により）データシート１５において、少なくとも１つのボディレイヤ１８に対する取り付けレイヤ１７の取り付けの前に、少なくとも１つの保持糸８４は取り付けレイヤ１７から取り外される。結果として、少なくとも１つの保持糸８４は、積層又は溶接の間、タブ横糸８０が実質的に分離したままであることを確実にする。また、少なくとも１つのボディレイヤ１８の材料は、強い接続を確実にするため、タブ横糸８０を通過する。少なくとも１つの保持糸８４は、巻き戻し機構により、取り付けレイヤ１７から取り外される。例えば、連続的な積層機械において、複数の取り付けレイヤ１７（例えば、取り付けレイヤ繊維７０の一方の側面）は、リール周りに保持されて、少なくとも１つのボディレイヤ１８と共に積層器に供給され得る。少なくとも１つの保持糸８４は、リールと積層器の間の巻き戻し機構により、取り外され得る。巻き戻し機構は、少なくとも１つのリールなどを備えてもよい。巻き戻し機構はまた、不連続積層工程において用いられ得る。
【００４９】
タブ横糸８０は、好ましくは、隣接する、すなわち実質的に平行な糸、ストリップ、スレッド、又はフィラメントを有することにより複数の端部を備える。特に、タブ横糸８０は、ナイロンのような合成糸、及び複数のモノフィラメントを備えてもよい。好ましくは、タブ横糸８０は、少なくとも１つのボディレイヤ１８と同様に、実質的に透明である。第１インフィル横糸８１、第２インフィル横糸８２、及び／又は縦糸８３は、ポリエステルを備えてもよい。
【００５０】
タブ横糸８０は、タブ横糸６１が、取り付け部２６のインフィル横糸６２及び／又は縦糸３１より小さな径を有するように、第１インフィル横糸８１、第２インフィル横糸８２、及び／又は縦糸８３より小さな径を有してもよい。結果として、取り付け部２６は、取り付け線に沿う引き裂き又は他の損傷を防ぐように、相対的に頑丈な糸を備える。一方、タブ横糸６１は小さなバルクをデータシート１５に加えて、目立たない。タブ横糸８０は約１５０デニール未満、好ましくは約８０デニールである。第１インフィル横糸８１、第２インフィル横糸８２、及び／又は縦糸８３は、少なくとも約２００デシテックス、少なくとも約３００デシテックス、好ましくは約４００デシテックスである。
【００５１】
図１０〜１５は別の実施形態を示す。この実施形態において、取り付けレイヤ１７は少なくとも１つのフィルムレイヤ４０を備える。特に、取り付け部２６は、少なくとも１つのフィルムレイヤ４０の伸長なボディ４１を備える。このフィルムレイヤ４０は、好ましくは、実質的に固体又は連続であり、データシート１５の折り目１２及び内側端部２２と平行に伸びる。それぞれのタブ２５は、少なくとも１つのフィルムレイヤ４０を含み、伸長なボディから伸びる。少なくとも１つのフィルムレイヤ４０は、共に積層又は接着されている複数のフィルムレイヤ４０、また少なくとも１つのポリアミド、ポリエステル、ポリブチレンテレフタレート、及びポリウレタンを備えてもよい。少なくとも１つのフィルムレイヤ４０を用いることの利益は、タブ２５が、取り付けレイヤ１７をデータシート１５に接続することを助けるように様々な異なる形状を有してもよいことである。また、データシート１５が肉眼により透過光で見えるとき、タブ２５は、データシート１５の残りに対して（例えば影として）識別できるように、データシート１５の残りに対して異なる不透明性を有してもよい。
【００５２】
図１０，１１，１２，１５に示すように、複数のタブ２５の少なくとも１つ又はすべてが、取り付け部２６の近傍より取り付け部２６に対する遠位において広くなるように、取り付け部２６から外向きのテーパを有してもよい。したがって、タブ２５は、取り外されるため、幅に沿って圧縮される必要があるとき、データシート１５の内側端部２２からの取り外しに対する別の抵抗を与える。代替として、複数のタブ２５の少なくとも１つ又はすべてが、取り付け部２６の近傍より取り付け部２６に対する遠位において狭くなるように、取り付け部２６から内向きのテーパを有してもよい。したがって、間隔２７は、データシート１５内において大きく、また改善された剥離の抵抗を与える。
【００５３】
図１１，１２に示すように、複数のタブ２５の少なくとも１つ又はすべてが、少なくとも１つの開口部４２を備えてもよい。データシート１５の材料は、取り付けレイヤ１７をデータシート１５に接続する間、少なくとも１つの開口部４２を通して流れて、接着して、又は結合して、データシート１５から取り付けレイヤ１７の取り外しに対して別の抵抗を与える。
【００５４】
図１２に示すように、複数のタブ２５の少なくとも１つ又はすべてが、少なくとも１つの端部において、少なくとも１つの刻み目４３を備えてもよい。図示する１対の刻み目４３は、少なくとも１つのタブ２５が砂時計形状を有するように、少なくとも１つのタブ２５において互いに対向して配置され得る。したがって、データシート１５の材料は、取り付けレイヤ１７の取り外しに抵抗するように、少なくとも１つの刻み目４３に向けて伸びる。
【００５５】
図１３Ａ〜１５に示すように、複数のタブ２５の少なくとも１つ又はすべてが、取り付け部２６から伸びる少なくとも１つのフィルムレイヤ４０のストリップを備えてもよい。好ましくは、少なくとも１つのストリップは、取り外しに対する抵抗を与えるため、図１３Ａ，１３Ｂ，１５に示す折り目１２、データシート１５の内側端部２２、及び／又はデータシート１５の側面に対して鋭角、例えば約４５°に伸びる。代替として、少なくとも１つのストリップは、データシート１５の折り目１２及び／又は内側端部２２に対して垂直、及び／又は図１４に示すデータシート１５の側面と平行に伸びる。このデータシート１５は、製造に対してより単純であってもよい。好ましくは、ストリップは互いに平行である。
【００５６】
図３，１０，１１，１２，１５，１６，１８，１９に示すように、複数のタブ２５は、データシート１５内に配置されて、且つデータシート１５の内側端部２２より遠位の自由端を備えてもよい。一方、図１３Ａ，１３Ｂ，１４に示すように、取り付けレイヤ１７は、少なくとも２つのタブ２５、好ましくはすべてのタブ２５と交差して、また少なくとも２つのタブ２５、好ましくはすべてのタブ２５に取り付けられて、又は形成されて伸びる少なくとも１つのクロスサポート４５を備えてもよい。図１３Ａは、連続的な工程の間、少なくとも１つの伸長なボディレイヤ１８及び伸長な取り付けレイヤ１７から複数のセキュリティシート１１を形成するための積層の前の積層構造１９を示す。この伸長なボディレイヤ１８及び伸長な取り付けレイヤ１７はロールから供給され得る。クロスサポート４５は、取り付け部２６より遠位のタブ２５の端部に取り付けられる。少なくとも１つのクロスサポート４５は、またこの場合、タブ２５の部分も、少なくとも１つのボディレイヤ１８の外側端部２３から伸びる。少なくとも１つのクロスサポート４５は、製造の間、タブ２５が重ね合わせないことを確実にする。取り付けレイヤ１７が、少なくとも１つのボディレイヤ１８に、又は少なくとも１つのボディレイヤ１８の間に配置されているとき、好ましくは積層の後、少なくともクロスサポート４５は、またこの場合、データシート１５から伸びるタブ２５の部分も、取り付けレイヤ１７から切り取られる。図１３Ｂは、次に形成されるセキュリティシート１１を示す。このセキュリティシート１１において、データシート１５と取り付けレイヤ１７は、図１３Ａの積層構造１９から切り取られる。図１４に示すように、少なくとも１つのクロスサポート４５は、切り取りが必要でないように、データシート１５内に配置され得る。
【００５７】
少なくとも１つのクロスサポート４５は、図１３Ａ，１４に示すようなストリップのような適切な形状を有して、少なくともフィルムレイヤ４０から少なくとも１つの間隔２７を付勢することにより形成され得る。代替として、少なくとも１つのクロスサポート４５は、繊維の少なくとも１つの縦糸３１（又は、取り付けレイヤ１７の方向と命名に応じて、繊維の少なくとも１つの横糸）を備えてもよい。特に、取り付けレイヤ１７が上記繊維を備えるとき、少なくとも１つのクロスサポート４５は、データシート１５内の少なくとも２つの隣接タブ横糸６１の間において伸びて、繊維の縦糸３１の少なくとも１つの縦糸３１を備える。一方、少なくとも１つのクロスサポート４５は、合計及び／又は単位面積当たりの数（好ましくは単位面積当たりの平均の数）が取り付け部２６より少ない縦糸３１を備える。特に、少なくとも２つの隣接タブ２５は、少なくとも１つの間隔２７により分離されている。また、少なくとも１つの間隔２７は、取り付け部２６の縦糸３１の間の平均距離より大きな距離により、少なくとも１つのクロスサポート４５、取り付け部２６、及び／又は隣接クロスサポート４５を分離する。
【００５８】
代替として、少なくとも１つのクロスサポート４５は、上方及び／又は下方において、タブ２５と交差して伸びる、また積層、溶接、又は接着により縦糸又は横糸と接着される少なくとも１つのフィルムレイヤ４０のテープ又はストリップを備えてもよい。一方、少なくとも１つの間隔２７は、取り付け部２６から少なくとも１つのクロスサポート４５までの２つの隣接タブ２５の間において伸びるとみなされて、好ましくは、間隔２７を通して流れるデータシート１５の材料の大きな体積を可能にする適切な大きさである。一般的に、少なくとも１つのクロスサポート４５による実施形態を含み、少なくとも１つの間隔２７、好ましくは、すべての間隔２７は、タブ２５の間のデータシート１５の内側端部２２からデータシート１５の外側端部２３までの少なくとも５％、好ましくは少なくとも１０％、より好ましくは少なくとも２５％、さらに好ましくは少なくとも５０％、それよりも好ましくは少なくとも７５％、それ以上に好ましくは少なくとも９０％の距離と交差して隣接タブ２５の間において伸び得る。
【００５９】
図１６，１７Ａ，１７Ｂ，１８は、図６Ａ〜７Ｂと同様に、別の実施形態を示す。この実施形態において、少なくとも１つのパッチ５０，５１は、タブ２５の少なくとも一部に（すなわち、少なくとも１つのボディレイヤ１８に対するタブ２５の反対側に）与えられる、又は配置される、またデータシート１５内に取り付けられる、又は組み込まれている。図示しない一方、少なくとも１つのパッチ５０，５１はまた、図１９の実施形態に与えられ得る。少なくとも１つのパッチ５０，５１は、タブ２５をデータシート１５の第１外表面２８又は第２外表面２９に固定することを助ける。図示するように、少なくとも１つのパット５０は、すべてのタブ２５と交差してデータシート１５の側面の間において伸びる伸長なバンド又はストリップを備えてもよい。少なくとも１つのパッチ５１、この場合、２つのパッチ５１は、データシート１５の部分と交差して、且つすべてではない複数のタブ２５と交差して伸びるバンドを備えてもよい。図示するように、少なくとも１つのパッチ５０，５１は、タブ２５の長さの一部を覆い得る。代替として、少なくとも１つのパッチ５０，５１は、タブ２５のすべての長さと交差して伸びて、また第１外表面２８又は第２外表面２９に配置されているすべてのタブ２５を実質的に覆い得る。
【００６０】
少なくとも１つのパッチ５０，５１は、積層の前に、タブ２５の少なくとも一部に与えられて、タブ２５及び少なくとも１つのボディレイヤ１８と共に積層され得る。結果として、少なくとも１つのパッチ５０，５１は、少なくとも１つのボディレイヤ１８と実質的に区別できないように、少なくとも１つのボディレイヤ１８に向けてタブ２５周りに沈み得る。代替として、タブ２５及び少なくとも１つのボディレイヤ１８は共に積層されている。また、少なくとも１つのパッチ５０，５１は、タブ２５の少なくとも一部に当てられて、別のステップにおいて取り付けられる。好ましくは、別のステップは、（例えば、超音波により）タブ２５を第１外表面２８又は第２外表面２９に溶接することである一方、別の積層などを備えてもよい。結果として、少なくとも１つのパッチ５０，５１は、（図１７Ｂにおいて示すような）突出部として、第１外表面２８又は第２外表面２９において示してもよい。
【００６１】
取り付け部２６とタブ２５は、本明細書の構成のいずれかの組み合わせから形成され得る。例えば、図１５に示すように、複数のタブ２５はストリップを備えてもよい。また、複数のタブ２５は外向きのテーパを有してもよい。別の実施形態において、少なくとも１つのタブ２５は、好ましくは、試みられる取り外しの間、データシート１５内に組み込む少なくとも１つのバードにより、取り付けレイヤ１７の外向きの移動に抵抗するように構成されている少なくとも１つの返しを備える。取り付け部２６は不織布を備えてもよい。また、それぞれのタブ２５は、不織布の縦糸及び横糸のストリップ、又は不織布の単一の横糸を備えてもよい。少なくとも１つのタブ２５は、螺旋、記号、又はロゴなどの形状のデータシート１５に向けて伸び得る。
【００６２】
タブ２５は、（図示するような）同じ又は異なる距離により、データシート１５と交差して伸び得る。例えば、内側端部２２より遠位のタブ２５の端部は、正弦波経路を形成し得る。タブ２５の端部は、反射光及び／又は透過光の入射後、データシート１５において肉眼で見えるパターンを形成し得る。
【００６３】
取り付けレイヤ１７はまた、少なくとも１つのフィルムレイヤに組み込まれている上記繊維を備えてもよい。例えば、取り付け部２６は、少なくとも１つのフィルムレイヤにおいて、少なくとも一部が組み込まれ得る。少なくとも１つのフィルムレイヤは、取り付け部２６の繊維からボディレイヤ１８に向けて伸びて、セキュリティシート１１を形成するためのボディレイヤ１８により積層され得る。
【００６４】
また、図４Ａ，７Ａ，８，１５に示すように、取り付けレイヤ１７がすべてのデータシート１５と交差して伸びる実施形態において、少なくとも１つのボディレイヤ１８を積層する前に、タブ２５は、図１３Ａに示す同様の方法において、外側端部２３を越えて伸び得る。積層の前又は後において、タブ２５の過剰部分は切り取られる。一方、データシート１５の端部においてタブ２５を切り取ることは、端部において曝されることをもたらして、別の境界を形成し得る。鋭利な器具が、この別の境界において、剥離を試みる偽造者により挿入され得る。結果として、好ましい実施形態において、データシート１５の端部において曝されるタブ２５は、データシート１５に対して密閉されている。密閉は、端部に直接積層又は溶接することにより得られてもよい。したがって、データシート１５の材料は、曝されたタブ２５を越えて流れる。代替として、データシート１５と同じ材料の追加部分は、少なくとも１つのボディレイヤ１８の少なくとも１つの端部と隣接して配置されて、積層構造１９の主な積層の間、積層され得る。
【００６５】
少なくとも一部のタブ２５は、第１外表面２８に取り付けられ得る。同様に／または、少なくとも一部のタブ２５は、第２外表面２９に取り付けられ得る。同様に／または、少なくとも一部のタブ２５は、データシート１５の厚みの内側に取り付けられ得る（すなわち、図４Ａ〜７Ｂの構成の組み合わせ）。
【００６６】
タブ２５は、接着により、第１外表面２８又は第２外表面２９に取り付けられ得る。例えば、タブ２５は、第１外表面２８又は第２外表面２９、及び第１外表面２８又は第２外表面２９に与えられる接着剤に配置され得る。接着剤は、（例えば、ポリウレタンを有する）溶液又はフィルムを備えてもよい。この溶液又はフィルムは、タブ２５を通してデータシート１５と共に結合する。
【００６７】
図示する実施形態において、取り付け部２６は、データシート１５の外側に全体に配置されている。この構成は、剥離しにくいように、内側端部２２における取り付けレイヤ１７とデータシート１５の間の別の境界の大きさを減少させるため、好ましい。一方、タブ２５は、この構成において、内側端部２２に沿う引き裂きに部分的に耐える。他方、パスポートの場合、上述の実施形態が十分であることが分かる。取り付け部２６は、内側端部２２に沿う引き裂きに対する抵抗を向上するため、少なくとも１つのボディレイヤ１８の間において、又は少なくとも１つのボディレイヤ１８に配置されることにより、データシート１５に向けて部分的に伸び得る。例えば、取り付け部２６は、データシート１５に向けて、データシート１５の内側端部２２から外側端部２３までの距離の２５％まで、好ましくは１０％まで、より好ましくは５％まで伸び得る。
【００６８】
取り付けレイヤ１７は、取り付け部２６及び／又は少なくとも１つのタブ２５に配置されて、取り付け部２６とタブ２５を繋ぐ少なくとも１つのセキュリティ機能を備えてもよいため、一方の断面から他方の断面に達する。このセキュリティ機能は、例えばレーザマーキング、インクプリント、ホログラム、セキュリティ繊維、セキュリティプランチット、セキュリティスレッドなどを備えてもよい。タブ２５及び／又は取り付け部２６は、ポリマから、及び／又は蛍光、リン光な、光発色、若しくは熱変色などの添加剤と共に形成されることにより、固有のセキュリティ特性を有する材料を備えてもよい。タブ２５及び／又は取り付け部２６は、金属化する、及び／又は剥離により形成される特徴を備え得る。
【００６９】
図示する実施形態において、取り付けレイヤ１７は、単一のデータシート１５に取り付けられて、折り目１２から、データシート１５に対向するセキュリティドキュメント１０の側面に向けて部分的に伸びる。別の実施形態において、第２のデータシート１５は、同様の方法、又は本明細書と異なる方法における取り付けレイヤ１７の対向する端部に対して取り付けられている。取り付けレイヤ１７はまた、データシート１５に対向するセキュリティドキュメント１０のすべての側面と交差して伸びる。
【００７０】
データシート１５は、データ１６に加えて、セキュリティ機能を備えてもよい。例えば、データシート１５は、ＲＦＩＤチップ、アンテナ、レーザマーキング、インクプリント、ホログラム、セキュリティ繊維、セキュリティプランチット、及び／又はセキュリティスレッドなどを備えてもよい。１つ以上のボディレイヤ１８は、部分的に透明及び／又は不透明であってもよい。特に、データシート１５に向けて伸びるタブ２５の少なくとも一部は、第１外表面２８及び／又は第２外表面２９に対する反射光及び／又は透過光の入射において肉眼から隠れ得る。
【図１】
2021514873.tif 000003
【図２】
2021514873.tif 000004
【図３】
2021514873.tif 000005
【図４Ａ】
2021514873.tif 000006
【図４Ｂ】
2021514873.tif 000007
【図５Ａ】
2021514873.tif 000008
【図５Ｂ】
2021514873.tif 000009
【図６Ａ】
2021514873.tif 000010
【図６Ｂ】
2021514873.tif 000011
【図７Ａ】
2021514873.tif 000012
【図７Ｂ】
2021514873.tif 000013
【図８】
2021514873.tif 000014
【図９】
2021514873.tif 000015
【図１０】
2021514873.tif 000016
【図１１】
2021514873.tif 000017
【図１２】
2021514873.tif 000018
【図１３Ａ】
2021514873.tif 000019
【図１３Ｂ】
2021514873.tif 000020
【図１４】
2021514873.tif 000021
【図１５】
2021514873.tif 000022
【図１６】
2021514873.tif 000023
【図１７Ａ】
2021514873.tif 000024
【図１７Ｂ】
2021514873.tif 000025
【図１８】
2021514873.tif 000026
【図１９】
2021514873.tif 000027
【図２０】
2021514873.tif 000028
【図２１】
2021514873.tif 000029
【図２２】
2021514873.tif 000030
【図２３】
2021514873.tif 000031
【図２４】
2021514873.tif 000032
【国際調査報告】
2021514873.tif 000033
2021514873.tif 000034